(57)【要約】【課題】頂部を開口するシールエンドカートンであって、摘み部の開封が容易にできる形状のシールエンドカートンを提供することにある。【解決手段】本発明は、縦折れ線を介して側板、前板、側板、後板を連設して胴部を形成し、後板の上辺に天内板を連設し、前板の上辺に天板を連設し、天内板上に天板を重ねて貼り合せて頂部を形成してなり、後板の上辺中央部に摘み部切れ目線により摘み部を設けたシールエンドカートンにおいて、摘み部切れ目線を、摘み部内側切れ目線と摘み部外側切れ目線による二重に形成したことを特徴とするシールエンドカートンであり、摘み部内側切れ目線と摘み部外側切れ目線がともにミシン目であること、又は、共に半切れであり、摘み部内側切れ目線を表面側から摘み部外側切れ目線を裏面側から加工した形状であること、又は、摘み部内側切れ目線が半切れであり、摘み部外側切れ目線がミシン目である形状であることを特徴としている。【選択図】図１
2005231651.tif 000002
【特許請求の範囲】
【請求項１】
板紙を材料とし、縦折れ線を介して側板、前板、側板、後板を連設して胴部を形成し、前記後板の上辺に折れ線を介して天内板を連設し、前記前板の上辺に折れ線を介して天板を連設し、天内板上に天板を重ねて貼り合せて頂部を形成してなり、前記後板の上辺中央部に摘み部切れ目線により摘み部を設けたシールエンドカートンにおいて、
前記摘み部切れ目線を、摘み部内側切れ目線と摘み部外側切れ目線による二重に形成したことを特徴とするシールエンドカートン。
【請求項２】
前記摘み部内側切れ目線と前記摘み部外側切れ目線がともに、ミシン目であることを特徴とする請求項１に記載のシールエンドカートン。
【請求項３】
前記摘み部内側切れ目線と前記摘み部外側切れ目線がともに、半切れであり、前記摘み部内側切れ目線を表面側から、前記摘み部外側切れ目線を裏面側から加工した形状であることを特徴とする請求項１に記載のシールエンドカートン。
【請求項４】
前記摘み部内側切れ目線が半切れであり、前記摘み部外側切れ目線がミシン目であり、前記摘み部内側切れ目線を表面側から加工した形状であることを特徴とする請求項１に記載のシールエンドカートン。
【請求項５】
前記摘み部が後板中央に向かって膨らむ円弧状であることを特徴とする請求項１乃至４のいずれかに記載のシールエンドカートン。
【発明の詳細な説明】
【技術分野】
【０００１】
本発明は、シールエンド部を開封する形状のシールエンドカートンに関するものであり、詳しくは、シールエンド部を容易に開封することができる形状の扁平状のシールエンドカートンに関するものである。
【背景技術】
【０００２】
従来、カートンとして、種々の形状が実用化されているが、シンプルな形で、高速充填包装適性が良好なシールエンドカートンの形状が幅広く使用されている。このシールエンドカートンの開封方法としては、ジッパー等を用いた種々の形態が採用されている。特に、偏平状のシールエンドカートンにおいては、図９に示すように、軽い指圧で破れるように後板１４の上辺中央部に円弧状の摘み部１４ａを摘み部切れ目線Ｘにより設け、さらに、その摘み部切れ目線Ｘの両端から、後板１４と天内板１９との折れ線上に両端まで開封切れ目線Ｙ、Ｙを設けて頂部Ｔを開封する形状が広く使用されている。この形状のシールエンドカートン２の頂部Ｔを開封する時には、まず、摘み部１４ａを指先で押圧して摘み部切れ目線Ｘを破ることにより開封し、ついで、摘み部１４ａと共に天板１７および天内板１９を摘んで上方に引き上げて後板１４と天内板１９との折れ線ｈ上の両側に延設されている開封切れ目線Ｙ、Ｙを両端まで引き裂くことにより頂部Ｔを開封することができる（例えば、特許文献１参照。）。
【特許文献１】特開平７−６１４４３号公報
【発明の開示】
【発明が解決しようとする課題】
【０００３】
しかしながら、上記の従来のシールエンドカートンにおける開封方法では、摘み部を摘み部切れ目線で押し破って開封し、その後、摘み部切れ目線に連続して後板と天内板との折れ線上に両端まで設けられた開封切れ目線を引き裂いて頂部を開封するが、摘み部を強く押圧して摘み部切れ目線を引き裂く必要がある。摘み部が開封しやすいように、摘み部切れ目線を破断し易くすると、外から塵埃や水分が侵入しやすくなり、食品衛生の点からも好ましくないという問題がある。
【０００４】
本発明は、上記問題点に対し適切且つ有効な解決手段として、頂部を開口するシールエンドカートンであって、摘み部の開封が容易にできる形状のシールエンドカートンを提供するものである。また、塵埃や水分が浸入しにくく、食品衛生の点からも好ましい形状のシールエンドカートンを提供するものである。
【課題を解決するための手段】
【０００５】
本発明は、前記問題点を解決すべく開発されたものであって、板紙を材料とし、縦折れ線を介して側板、前板、側板、後板を連設して胴部を形成し、前記後板の上辺に折れ線を介して天内板を連設し、前記前板の上辺に折れ線を介して天板を連設し、天内板上に天板を重ねて貼り合せて頂部を形成してなり、前記後板の上辺中央部に摘み部切れ目線により摘み部を設けたシールエンドカートンにおいて、前記摘み部切れ目線を、摘み部内側切れ目線と摘み部外側切れ目線による二重に形成したことを特徴とするシールエンドカートンである。そしてその形状が、前記摘み部内側切れ目線と前記摘み部外側切れ目線がともにミシン目であること、または、前記摘み部内側切れ目線と前記摘み部外側切れ目線がともに半切れであり、前記摘み部内側切れ目線を表面側から前記摘み部外側切れ目線を裏面側から加工した形状であること、または、前記摘み部内側切れ目線が半切れであり、前記摘み部外側切れ目線がミシン目であり、前記摘み部内側切れ目線を表面側から加工した形状であることを特徴としている。さらに、前記摘み部が後板中央に向かって膨らむ円弧状であることを特徴とするものである。
【発明の効果】
【０００６】
本発明のシールエンドカートンでは、後板の上辺中央部に摘み部切れ目線により摘み部を設けてあり、この摘み部切れ目線を２重線状とすることによって、摘み部の開封が、老人、子供をはじめ誰でも指による押圧により容易にできるという効果を有している。
【０００７】
また、摘み部内側切れ目線を表面側から、摘み部外側切れ目線を裏面側から加工した２重線状の摘み部切れ目線とすることにより、摘み部の開封が容易にでき、かつ、摘み部において外からの塵埃、水分の侵入を防ぐことができ、食品衛生の点からも好ましいシールエンドカートンとすることができるという効果を有している。
【０００８】
さらに、開封切れ目線を折れ線上に設けない形状にすることによって、摘み部および頂部の開封が容易にでき、かつ、摘み部切れ目線の孔から水分や塵埃等が浸入することがなく、食品衛生の点からも好ましく、さらに、開封切れ目線が折れ線上に設けられていないことにより、流通、販売等の開封前の段階で、開封切れ目線が破断したりして起こるシールエンドカートンの強度の低下がなく、頂部の縁が損傷したりして起こる外観上の商品価値を損なうことがないシールエンドカートンとすることができるという効果を有している。
【発明を実施するための最良の形態】
【０００９】
以下に、本発明の実施例を図面を参照しながら説明する。図１は、本発明のシールエンドカートンの外観を示す斜視図であり、図２は、本発明のシールエンドカートンのブランクの展開図であり、図３は、本発明のシールエンドカートンのブランクの部分拡大図であり、図４は、本発明のシールエンドカートンを組み立てる段階を示す斜視図であり、図５は、本発明のシールエンドカートンの開封を説明する概略図であり、図６は、本発明のシールエンドカートンの他の実施例の外観を示す斜視図であり、図７、本発明のシールエンドカートンの他の実施例のブランクの展開図であり、図８は、本発明のシールエンドカートンの他の実施例の開封を説明する概略図であり、そして、図９は、従来のシールエンドカートンの外観を示す斜視図である。
【００１０】
本発明のシールエンドカートン１は、図１に示すように、外観上としては、後板１４の上辺中央部に摘み部１４ａを摘み部切れ目線ｘにより設け、この摘み部切れ目線ｘの両端点ｐ、ｐから摘み部切れ目線ｘに連続して折れ線ｈ上の両端まで開封切れ目線ｙ、ｙを設けた形状である。そして、摘み部１４ａを形成する摘み部切れ目線ｘの形状を、摘み部内側切れ目線ｘ１と摘み部外側切れ目線ｘ２の２重線状としていることが特長である。
【００１１】
図２−ａは、そのシールエンドカートン１のブランク１０を示す展開図であって、側板１１、前板１２、側板１３、後板１４、糊代片１５を折れ線ａ、ｂ、ｃ、ｄを介して連接し、糊代片１５を側板１１の裏面に貼り合せてシールエンドカートン１Ａの胴部を形成する。また、上記側板１１、前板１２、側板１３、後板１４の上辺には、それぞれ折れ線ｅ、ｆ、ｇ、ｈを介して天折り込み片１６、天板１７、天折り込み片１８、天内板１９を連接してあり、これらはシールエンドカートン１Ａの形成の際に頂部Ｔを構成する。さらに、上記側板１１、前板１２、側板１３、後板１４の下辺には、それぞれ折れ線ｉ、ｊ、ｋ、ｌを介して底折り込み片２０、底板２１、底折り込み片２２、底下板２３を連接してあり、これらはシールエンドカートン１Ａの形成の際に底部Ｂを構成する。
【００１２】
また、上記シールエンドカートン１の開封を容易にするため、後板１４の上辺中央部には、軽い指圧で破ることが可能な摘み部１４ａを輪郭を摘み部切れ目線ｘで形成する。この摘み部切れ目線ｘは、摘み部内側切れ目線ｘ１と摘み部外側切れ目線ｘ２の２重線状であり、それぞれミシン目、半切れ、リード罫等で設けることができる。その形状は、後板１４の中央部に向かって膨らむ円弧状に形成する。なお、その形状は、完全な円弧状である必要はなく、例えば矩形や多角形などの形状とすることも可能であるが、指を挿入することによって容易に切り離すことができるようにするため、あるいは、摘み部切れ目線を容易に形成できるようにするためには、角をもたない形状、すなわち円弧や楕円の弧といった形状とすることが望ましい。
【００１３】
摘み部切れ目線ｘである摘み部内側切れ目線ｘ１と摘み部外側切れ目線ｘ２の間隔ｒは、０．５〜１．５ｍｍの範囲が好ましく、０．５ｍｍ未満の場合には、摘み部１４ａが開封前の段階で破断されやすくなり、１．５ｍｍを超える場合には、ミシン目を二重にした効果が見られず、破断後の外観も悪くなる。
【００１４】
つぎに、摘み部切れ目線ｘの形状の具体的な例をあげる。第一は、図３−ａに示すように、摘み部内側切れ目線ｘ１と摘み部外側切れ目線ｘ２を共にミシン目で設けた形状である。この形状では、従来の一本のミシン目に比べて、２重にすることにより、極めて容易に押圧により摘み部を開封することができ、また、加工が容易である。
【００１５】
第二は、図３−ｂに示すように、摘み部内側切れ目線ｘ１と摘み部外側切れ目線ｘ２を共に半切れで設けた例であり、摘み部内側切れ目線ｘ１を表面側から、摘み部外側切れ目線ｘ２を裏面側から加工した形状である。半切れの深さは、それぞれ板紙の厚さの略１／２とする。この形状では、摘み部の開封が容易である上に、摘み部切れ目線ｘから塵埃や水分が浸入しにくく、食品衛生の点からも好ましい。
【００１６】
第三は、図３−ｃに示すように、摘み部内側切れ目線ｘ１を表面側からの半切れとし、摘み部外側切れ目線ｘ２をミシン目とした形状である。半切れの深さは、板紙の厚さの略１／２とする。この形状では、摘み部の開封を容易にする上に、摘み部外側切れ目線ｘ２をミシン目を塵埃等が侵入しにくい細い形状等にすることができ摘み部切れ目線ｘから塵埃や水分が浸入しにくく、食品衛生の点からも好ましい。
【００１７】
さらに、摘み部切れ目線ｘの両端、すなわち、後板１４と天内板１９との折れ線ｈとの交点から折れ線ｈ上にそれぞれ外側方向に開封切れ目線ｙ、ｙを延設する。この開封切れ目線ｙ、ｙは、折れ線ｈの両端まで設け、ミシン目、リード罫、不連続なＬ字状切れ目等で設けることができる。
【００１８】
本発明のシールエンドカートン１の組み立てに際しては、まず、図４−ａに示すように、糊代片１５を側板１１に貼り合わせて（サック貼）折り畳まれた状態の筒状のシールエンドカートン１を形成する。つぎに、この折り畳んだ状態のシールエンドカートン１を自動充填包装機に供給し、図４−ｂに示すように、底折り込み片２０、２２、底下板２３、底板２１を順次折り込み貼り合せて底部Ｂを形成する。つぎに、上開口部から内容物を充填した後、頂部Ｔにおいて、図４−ｃに示すように、天折り込み片１６、１８、天内板１９を折り込み、最後に天内板１９の上に天板１７を重ね両板を貼り合せてシールエンドカートン１の頂部Ｔを形成して充填包装を完了する。
【００１９】
そして、この頂部Ｔはシールエンドカートンを一旦開封した後、シールエンドカートンを再封する際の蓋部を構成するものである。
【００２０】
本発明のシールエンドカートン１を開封する時には、まず、図５−ａに示すように、摘み部１４ａを指先で押圧して摘み部切れ目線ｘを破ることにより開封し、ついで、図５−ｂに示すように、摘み部１４ａと共に天板１７および天内板１９を摘んで上方に引き上げて後板１４と天内板１９との折れ線ｈ上の両側に延設されている開封切れ目線ｙ、ｙを両端まで引き裂くことにより頂部Ｔを開封することができる。
【００２１】
このようにして、図５−ｃに示すように、頂部Ｔを開口することができ、頂部Ｔは回動式蓋部となり、前板１２と天板１７との折れ線ｆはその蓋部の蝶番部となる。その際、後板１４の摘み部切れ目線ｘの切口は円弧状にえぐられているから内容物を取り出しやすく好都合である。
【実施例】
【００２２】
つぎに、上記に本発明について以下に具体例をあげて詳しく説明する。本実施例のシールエンドカートン１Ａは、図６に示すように、外観上としては、後板１４の上辺中央部に摘み部１４ａを摘み部切れ目線ｘにより設けた形状である。実際には、天内板１９には、半切れ線ｚにより、剥離部１９ａを形成しており、この剥離部１９ａの領域内における接着パターンＨで天板１７と天内板１９を貼り合せている。頂部Ｔの開封では、天内板１９の剥離部１９ａの表層が剥離されて、天板１７が容易に天内板１９から離されて開封される。
【００２３】
図７は、そのシールエンドカートン１Ａのブランク１０Ａを示す展開図であって、側板１１、前板１２、側板１３、後板１４、糊代片１５を折れ線ａ、ｂ、ｃ、ｄを介して連接し、糊代片１５を側板１１の裏面に貼り合わせてシールエンドカートン１Ａの胴部を形成する。また、上記側板１１、前板１２、側板１３、後板１４の上辺には、それぞれ折れ線ｅ、ｆ、ｇ、ｈを介して天折り込み片１６、天板１７、天折り込み片１８、天内板１９を連接してあり、これらはシールエンドカートン１Ｂの形成の際に頂部Ｔを構成する。さらに、上記側板１１、前板１２、側板１３、後板１４の下辺には、それぞれ折れ線ｉ、ｊ、ｋ、ｌを介して底折り込み片２０、底板２１、底折り込み片２２、底下板２３を連接してあり、これらはシールエンドカートン１Ａの形成の際に底部Ｂを構成する。
【００２４】
また、上記シールエンドカートン１Ａの開封を容易にするため、後板１４の上辺中央部には、軽い指圧で破ることが可能な摘み部１４ａを輪郭を摘み部切れ目線ｘで形成した。この摘み部１４ａの輪郭は、後板１４の中央部に向かって膨らむ円弧状に形成した。この摘み部切れ目線ｘは、摘み部内側切れ目線ｘ１と摘み部外側切れ目線ｘ２を共に半切れで設け、摘み部内側切れ目線ｘ１を表面側から、摘み部外側切れ目線ｘ２を裏面側から加工し、半切れの深さは、それぞれ板紙の厚さの略１／２とした。
【００２５】
さらに、天内板１９には、表面からの半切れ線ｚにより、剥離部１９ａを形成し、その剥離部１９ａの形状は、天板１７と天内板１９を貼り合わせる接着パターンＨを領域内に含むことができるコの字形とした。半切れ線ｚの深さは、材料の板紙の上方から略１／２とした。
【００２６】
本実施例のシールエンドカートン１Ａを開封するには、まず、図８−ａに示すように、後板１４の上辺中央部に設けた摘み部１４ａを指で軽く押圧すると摘み部切れ目線ｘが破れて摘み部１４ａを開封し、つぎに、図８−ｂに示すように、摘み部１４aと共に天板１７、天内板１９を摘まんで上方に引き上げることによって、天内板１９の剥離部１９ａが表層から剥離され、図８−ｃに示すように、天板１７が天内板１９から離され、その時に、天内板１９の剥離部１９ａの部分では、天内板１９の表面の層が剥離して分断される状態となった。そして、図８−ｄに示すように、頂部Ｔを開封することができた。
【００２７】
このようにして、ブランク１０Ａから組み立てた本実施例のシールエンドカートン１Ａは、開封切れ目線を折れ線ｈ上に設けない形状にしたことによって、摘み部１４ａおよび頂部Ｔの開封が容易にでき、かつ、摘み部切れ目線ｘから水分や塵埃等が浸入することがなく、食品衛生の点からも好ましく、さらに、開封切れ目線ｙが折れ線ｈ上に設けられていないことにより、流通、販売等の開封前の段階で、開封切れ目線ｙが破断したりして起こるシールエンドカートンの強度の低下がなく、頂部Ｔの縁が損傷したりして起こる外観上の商品価値を損なうことがないシールエンドカートンとすることができた。
【産業上の利用可能性】
【００２８】
一般的なシールエンドカートンに広く利用することができる。特に、扁平状のシールエンドカートンには効果的に利用することができる。
【図面の簡単な説明】
【００２９】
【図１】本発明のシールエンドカートンの外観を示す斜視図である。
【図２】本発明のシールエンドカートンのブランクの展開図である。
【図３】本発明のシールエンドカートンのブランクの部分拡大図である。
【図４】本発明のシールエンドカートンを、組み立てる段階を示す斜視図である。
【図５】本発明のシールエンドカートンの開封を説明する概略図である。
【図６】本発明のシールエンドカートンの他の実施例の外観を示す斜視図である。
【図７】本発明のシールエンドカートンの他の実施例のブランクの展開図である。
【図８】本発明のシールエンドカートンの他の実施例の開封を説明する概略図である。
【図９】従来のシールエンドカートンの外観を示す斜視図である。
【符号の説明】
【００３０】
１    シールエンドカートン
１Ａ  シールエンドカートン
２    従来のシールエンドカートン
Ｘ    摘み部切れ目線（従来のシールエンドカートン）
Ｙ    開封切れ目線（従来のシールエンドカートン）
１０    ブランク
１０Ａ  ブランク
１１    側板
１２    前板
１３    側板
１４    後板
１４ａ  摘み部
１５    糊代片
１６    天折り込み片
１７    天板
１８    天折り込み片
１９    天内板
１９ａ  剥離部
２０    底折り込み片
２１    底板
２２    底折り込み片
２３    底下板
ａ〜ｌ  折れ線
Ｔ    頂部
Ｂ    底部
Ｈ    接着パターン
ｘ    摘み部切れ目線
ｘ１  摘み部内側切れ目線
ｘ２  摘み部外側切れ目線
ｙ    開封切れ目線
ｚ    半切れ線
【図１】
2005231651.tif 000003
【図２】
2005231651.tif 000004
【図３】
2005231651.tif 000005
【図４】
2005231651.tif 000006
【図５】
2005231651.tif 000007
【図６】
2005231651.tif 000008
【図７】
2005231651.tif 000009
【図８】
2005231651.tif 000010
【図９】
2005231651.tif 000011